(57)【要約】【課題】母材がアクリル樹脂等の合成樹脂から成っている場合であっとしても、母材表面にダメージを与えることなく簡単且つ確実に被膜を除去することが可能なレーザクリーニング装置を提供する。【解決手段】クリーニング対象部材である平板Ｗの表面Ｗａをクリーニングするレーザクリーニング装置であって、ファイバーレーザ発振器２と、ファイバーレーザ発振器２からパルス発振されるレーザ光Ｌを集光して平板Ｗの表面Ｗａ上に照射しつつ走査する照射ヘッド１０を備え、照射ヘッド１０には、ファイバーレーザ発振器２からパルス発振されるレーザ光Ｌをパワー密度分布がトップハット型に整形された集光ビームＬ２とするべくホモジナイザ１３が配置されている。【選択図】図１
2019103962.tif 000002
【特許請求の範囲】
【請求項１】
クリーニング対象部材である母材の表面をクリーニングするレーザクリーニング装置であって、
レーザ発振器と、
前記レーザ発振器からパルス発振されるレーザ光を集光して前記母材の表面上に照射しつつ走査する照射ヘッドを備え、
前記照射ヘッドには、前記レーザ発振器からパルス発振されるレーザ光をパワー密度分布がトップハット型に整形された集光ビームとするべく光学系ビーム整形手段が配置されているレーザクリーニング装置。
【請求項２】
前記レーザ発振器としてファイバーレーザ発振器を用いる請求項１に記載のレーザクリーニング装置。
【請求項３】
前記光学系ビーム整形手段が、前記照射ヘッドに着脱可能に配置されるホモジナイザである請求項１又は２に記載のレーザクリーニング装置。
【発明の詳細な説明】
【技術分野】
【０００１】
本発明は、例えば、母材表面を覆う酸化被膜や塗装膜やめっき層や錆び・汚れ等の被膜を除去するのに好適なレーザクリーニング装置に関するものである。
【背景技術】
【０００２】
レーザクリーニングは、母材表面の被膜構成物質が高エネルギー密度のレーザ光を受けることで、母材表面から蒸散する現象（レーザアブレーション）を利用したものである。
【０００３】
このレーザクリーニングには、例えば、アルミニウム合金の表面を覆う酸化被膜（アルマイト）を溶接の前処理として除去する際に採用されているサンドブラストやグラインダーによる研削のような機械的除去手段と比べて、レーザ光の照射条件によっては、母材にダメージを与えずに被膜を除去することができる点や、粉じん対策を必要としない点等のメリットがある。
また、このレーザクリーニングには、上記酸化被膜を除去する際に用いられる薬剤による化学的除去手段と比べても、廃液処理を必要としないというメリットがある。
【０００４】
従来、このようなレーザクリーニングに用いられるレーザクリーニング装置としては、例えば、特許文献１に記載されたものがある。
このレーザクリーニング装置は、レーザ発振器と、このレーザ発振器からパルス発振されるレーザ光を集光して母材の表面上の被膜に照射しつつ走査するレーザ光走査機構を備えており、レーザ光走査機構は、モータにより回転駆動されるポリゴンミラーを具備している。
【０００５】
このレーザクリーニング装置では、母材の表面上の被膜に対して、パルス発振されたレーザ光をレーザヘッドから照射しつつ一定の周波数で走査することで、母材の表面を覆う被膜、例えば、アルミニウム合金の表面を覆う酸化被膜を除去するようにしている。
【先行技術文献】
【特許文献】
【０００６】
【特許文献１】特開平11-326461号公報
【発明の概要】
【発明が解決しようとする課題】
【０００７】
上記したレーザクリーニング装置には、まず母材の表面に被膜を残さないことが要求される。したがって、上記したレーザクリーニング装置によって被膜を除去する場合には、母材表面への入熱量を多目に設定したレーザ光照射が行われる。
【０００８】
しかしながら、上記したレーザクリーニング装置により母材表面に照射されるレーザ光は、パワー密度分布が急峻な山型に整形されたガウシアンビームであるため、母材の材質によっては、均一にクリーニングし得ない可能性があるという問題を有しており、この問題を解決することが従来の課題となっている。
【０００９】
本発明は、上記したような従来の課題を解決するためになされたもので、母材が金型のような均一な除去が必要な製品の場合であったとしても、母材表面にダメージを与えることなく簡単且つ確実に被膜を除去することが可能なレーザクリーニング装置を提供することを目的としている。
【課題を解決するための手段】
【００１０】
上記した目的を達成するために成された本発明の第１の態様は、クリーニング対象部材である母材の表面をクリーニングするレーザクリーニング装置であって、レーザ発振器と、前記レーザ発振器からパルス発振されるレーザ光を集光して前記母材の表面上に照射しつつ走査する照射ヘッドを備え、前記照射ヘッドには、前記レーザ発振器からパルス発振されるレーザ光をパワー密度分布がトップハット型に整形された集光ビームとするべく光学系ビーム整形手段が配置されている構成としている。
【００１１】
また、本発明の第２の態様は、前記レーザ発振器としてファイバーレーザ発振器を用いる構成としている。
【００１２】
さらに、本発明の請求項３に係るレーザクリーニング装置は、前記光学系ビーム整形手段が、前記照射ヘッドに着脱可能に配置されるホモジナイザである構成としている。
【００１３】
本発明の第１の態様に係るレーザクリーニング装置では、母材表面を覆っている被膜を除去するに際して、照射ヘッドの光学系ビーム整形手段において、レーザ発振器からパルス発振されるレーザ光をパワー密度分布がトップハット型の集光ビームに整形するので、母材表面に対してパワー密度を平準化した集光ビームを走査し得ることとなる。
【００１４】
つまり、母材が金型のような均一な除去が必要な製品の場合において、母材表面への入熱量を多目に設定したとしても、母材の表面にダメージを与えることがなく、その結果、取り残しのない均一なクリーニングが簡単且つ確実に成されることとなる。
【００１５】
また、本発明の第２の態様に係るレーザクリーニング装置では、レーザ発振器として高品質の集光特性を有するファイバーレーザ発振器を用いているので、母材が金属である場合には、その表面におけるレーザ光の反射を防ぐための前処理（黒染色）が不要となる。
【００１６】
さらに、本発明の第３の態様に係るレーザクリーニング装置では、前記光学系ビーム整形手段としてホモジナイザを採用したうえで、このホモジナイザを照射ヘッドに着脱可能に配置するようにしているので、母材表面に照射するレーザ光として、パワー密度分布を急峻な山型に整形したガウシアンビームが要求されるような場合であったとしても、柔軟に対応し得ることとなる。
【発明の効果】
【００１７】
本発明に係るレーザクリーニング装置によれば、母材が金型のような均一な除去が必要な製品の場合であっとしても、母材表面にダメージを与えることなく簡単且つ確実に被膜を除去することが可能であるという非常に優れた効果がもたらされる。
【図面の簡単な説明】
【００１８】
【図１】本発明の一実施形態に係るレーザクリーニング装置の概略構成説明図である。
【図２】図１におけるレーザクリーニング装置のレーザヘッドを詳細に示す部分斜視説明図である。
【図３】図１におけるレーザクリーニング装置のレーザヘッドにレーザ光が入射する際の入射レーザパワー密度分布を示すグラフである。
【図４】図１のホモジナイザ使用モードにおけるレーザクリーニング装置のレーザヘッドから出射するレーザ光の出射レーザパワー密度分布を示すグラフ（ａ）及び正方形均一密度分布説明図（ｂ）である。
【図５】図１のホモジナイザ不使用モードにおけるレーザクリーニング装置のレーザヘッドから出射するレーザ光の出射レーザパワー密度分布を示すグラフ（ａ）及び円形均一密度分布説明図（ｂ）である。
【図６】図１のレーザクリーニング装置によってホモジナイザ使用モードでクリーニングを行った試験片の表面外観拡大写真（ａ）及びホモジナイザ不使用モードでクリーニングを行った試験片の表面外観拡大写真（ｂ）である。
【発明を実施するための形態】
【００１９】
以下、本発明の実施形態を図面に基づいて説明する。
図１及び図２は、本発明の一実施形態に係るレーザクリーニング装置を示しており、この実施形態では、本発明に係るレーザクリーニング装置のビームプロファイルを示すために、アクリル樹脂に対してレーザ光を照射する場合を例に挙げて説明する。
【００２０】
図１に概略的に示すように、このレーザクリーニング装置１は、クリーニング対象部材である平板（母材）Ｗの表面Ｗａをクリーニングするものであって、ファイバーレーザ発振器２と、このファイバーレーザ発振器２に対して光ファイバ３及びコネクタ４を介して接続された照射ヘッド１０を備えている。この照射ヘッド１０では、ファイバーレーザ発振器２からパルス発振されるレーザ光Ｌを集光して平板Ｗの表面Ｗａ上に照射しつつ走査するようになっている。
【００２１】
照射ヘッド１０は、この照射ヘッド１０内において平行な入射レーザ光Ｌ１が得られるように収差補正されたコリメートレンズ１２と、このコリメートレンズ１２を通過した平行な入射レーザ光Ｌ１をパワー密度分布がトップハット型に整形された集光ビームＬ２とするホモジナイザ（光学系ビーム整形手段）１３を具備している。
【００２２】
また、照射ヘッド１０は、ホモジナイザ１３を通過した集光ビームＬ２を走査するガルバノミラー１４と、このガルバノミラー１４で走査された集光ビームＬ２を平板Ｗの表面Ｗａ上で等速走査させる機能を有するＦθレンズ１５を具備しており、コリメートレンズ１２，ガルバノミラー１４及びＦθレンズ１５は、いずれもベースプレート１１上に固定されている。
【００２３】
この場合、ベースプレート１１上におけるコリメートレンズ１２及びホモジナイザ１３の間には、図２に示すように、入射レーザ光Ｌ１の角度を変えるベンドミラー１６が配置されており、ホモジナイザ１３は、ベースプレート１１上において、位置調整機構１７を介して位置調整可能で且つ着脱可能に固定されている。
【００２４】
ここで、コリメートレンズ１２を通過した入射レーザ光Ｌ１の入射レーザパワー密度分布は、図３のグラフに示すように、なだらかな山型を成している。このような入射レーザパワー密度分布の入射レーザ光Ｌ１がホモジナイザ１３を通過すると、図４（ａ）のグラフに示すように、出射パワー密度分布（焦点強度分布）がトップハット型を成す集光ビームＬ２に整形される。
【００２５】
つまり、光学系ビーム整形手段としてのホモジナイザ１３は、このホモジナイザ１３をベースプレート１１に固定したホモジナイザ使用モードにおいて、コリメートレンズ１２を通過した入射レーザ光Ｌ１を、図４（ｂ）に示すように、正方形均一密度分布の集光ビームＬ２に整形するものとなっており、このように整形された集光ビームＬ２は、Ｆθレンズ１５により平板Ｗの表面Ｗａ上に等速走査されるようになっている。
【００２６】
一方、照射ヘッド１０に着脱可能に固定されたホモジナイザ１３をベースプレート１１から取り外したホモジナイザ不使用モードでは、コリメートレンズ１２を通過した入射レーザ光Ｌ１がＦθレンズ１５を通過した時点で、図５（ａ）のグラフに示すように、出射パワー密度分布がガウシアン型（急峻な山型）を成す集光ビームＬ３となる。
【００２７】
すなわち、ホモジナイザ不使用モードでは、図５（ｂ）に示すように、入射レーザ光Ｌ１を円形均一密度分布の集光ビームＬ３にして、平板Ｗの表面Ｗａ上に等速走査するようになっている。
【００２８】
この実施形態のレーザクリーニング装置１において、クリーニング対象部材である平板Ｗの表面Ｗａを覆っている被膜Ｓを除去するに際しては、まず、ホモジナイザ使用モードを選択してクリーニングを開始する。
【００２９】
このホモジナイザ使用モードでは、照射ヘッド１０のホモジナイザ１３が、ファイバーレーザ発振器２からパルス発振されてコリメートレンズ１２を通過した平行な入射レーザ光Ｌ１を、パワー密度分布（焦点強度分布）がトップハット型の集光ビームＬ２に整形する。
【００３０】
そして、パワー密度分布がトップハット型を成すように整形された集光ビームＬ２を照射ヘッド１０のＦθレンズ１５により平板Ｗの表面Ｗａ上に等速走査して、平板Ｗの表面Ｗａを覆っている被膜Ｓを除去する。
【００３１】
つまり、平板Ｗの表面Ｗａに対して、焦点のパワー密度を平準化した集光ビームＬ２を走査し得ることになるので、この実施形態のように、平板Ｗがアクリル樹脂から成っている場合において、平板Ｗの表面Ｗａへの入熱量を多目に設定したとしても、平板Ｗの表面Ｗａにダメージを与えることがなく、その結果、取り残しのない均一なクリーニングが簡単且つ確実に成されることとなる。
【００３２】
また、この実施形態のレーザクリーニング装置１では、レーザ発振器として高品質の集光特性を有するファイバーレーザ発振器２を用いているので、このレーザクリーニング装置１により金属製の母材の表面を覆っている被膜を除去する場合には、その表面におけるレーザ光の反射を防ぐための前処理（黒染色）が不要となる。
【００３３】
さらに、この実施形態のレーザクリーニング装置１では、光学系ビーム整形手段としてホモジナイザ１３を採用したうえで、このホモジナイザ１３を照射ヘッド１０のベースプレート１１に着脱可能に固定するようにしている。
【００３４】
したがって、ホモジナイザ１３をベースプレート１１から取り外すホモジナイザ不使用モードを選択すれば、コリメートレンズ１２を通過した入射レーザ光Ｌ１を出射パワー密度分布がガウシアン型（急峻な山型）の集光ビームＬ３にして、母材の表面上に等速走査し得るので、母材の表面に照射するレーザ光として、出射パワー密度分布がガウシアン型の集光ビームが要求されるような場合に柔軟に対応し得ることとなる。
【００３５】
そこで、対象部材としてアクリル樹脂から成る試験片を用意し、この試験片に対して、上記レーザクリーニング装置１により、ホモジナイザ使用モード及びホモジナイザ不使用モードによるビームプロファイルの計測をそれぞれ実施した。
【００３６】
この際、ホモジナイザ使用モード及びホモジナイザ不使用モードのいずれのモードも、パルス発振されるレーザ光のパルス周波数を５０ｋＨｚ、レーザ出力を１００％、走査速度を１００Ｈｚ、照射幅を３０ｍｍとしてビームプロファイルの計測を実施した。
【００３７】
図６（ａ）は、上記レーザクリーニング装置１によってホモジナイザ使用モードでレーザクリーニングを行った試験片の表面外観拡大写真であり、この表面外観拡大写真の下半分はレーザ光未照射の試験片の表面を示している。
一方、図６（ｂ）は、上記レーザクリーニング装置１によってホモジナイザ不使用モードでレーザクリーニングを行った試験片の表面外観拡大写真であり、この表面外観拡大写真の下半分もレーザ光未照射の試験片の表面を示している。
【００３８】
図６（ａ）の表面外観拡大写真に示すように、ホモジナイザ使用モードでは、レーザクリーニングを行った表面外観拡大写真の上半分は、レーザ光未照射の下半分と比べて被膜が良好に除去されていることが判った。
【００３９】
一方、図６（ｂ）の表面外観拡大写真に示すように、ホモジナイザ不使用モードでは、レーザクリーニングを行った表面外観拡大写真の上半分は、レーザ光未照射の下半分と比べて被膜が概ね除去されているものの、出射パワー密度分布がガウシアン型（急峻な山型）の集光ビームＬ３を走査しているため、試験片の表面がダメージを受けていることが判った。
【００４０】
したがって、この実施形態に係るレーザクリーニング装置１では、ホモジナイザ使用モードを選択することで、試験片への入熱量を多目に設定したとしても、試験片の表面にダメージを与えることなく、取り残しのない均一なクリーニングを簡単且つ確実に行い得ることが実証できた。
【００４１】
本発明に係るレーザクリーニング装置の構成は、上記した実施形態に限られるものではなく、発明の趣旨を逸脱しない範囲で種々変形可能である。
【符号の説明】
【００４２】
１    レーザクリーニング装置
２    ファイバーレーザ発振器（レーザ発振器）
１０  照射ヘッド
１３  ホモジナイザ（光学系ビーム整形手段）
Ｌ    レーザ光
Ｌ１  入射レーザ光
Ｌ２  集光ビーム
Ｗ    平板（母材）
Ｗａ  平板の表面
【図１】
2019103962.tif 000003
【図２】
2019103962.tif 000004
【図３】
2019103962.tif 000005
【図４】
2019103962.tif 000006
【図５】
2019103962.tif 000007
【図６】
2019103962.tif 000008